(57)【要約】【課題】スイッチング電源によるノイズの発生を効果的に抑制する「受信装置」を提供する。【解決手段】  周波数切替制御部４２２は、所定期間毎に、周波数カウンタ４２１を用いて、スイッチング信号ＣＬＫの周波数を計測し、スイッチング信号ＣＬＫの周波数とスイッチング周波数の現在の設定値ＳＷＦと偏差を算定する。また、算定した偏差に基づいて、当該偏差が生じている状態においてスイッチング周波数として設定しても、受信周波数の受信の妨げにならない候補周波数Ｆｎを候補周波数Ｆ１、Ｆ２、Ｆ３のうちから周波数マップ４２３を参照して選定する。そして、選定した候補周波数Ｆｎが、現在のスイッチング周波数の設定値ＳＷＦと同じでなければ、スイッチング電源装置６のスイッチング周波数の設定値ＳＷＦを、選定した候補周波数Ｆｎに設定する。【選択図】図１
2008154146.tif 000002
【特許請求の範囲】
【請求項１】
受信周波数として指定された周波数の周波数チャネルを受信する受信装置であって、
設定されたスイッチング周波数設定値に従ったスイッチング周波数で動作し、当該受信装置に電源を供給するスイッチング電源装置と、
前記スイッチング電源装置のスイッチング周波数を計測し、計測したスイッチング周波数の前記スイッチング周波数設定値に対する偏差を算定する偏差算定手段と、
前記偏差算定手段が算定した偏差が生じている状態において、スイッチング周波数として前記スイッチング電源装置に設定しても、前記受信周波数の受信チャネルの受信の障害とならない周波数を現用周波数として算定し、前記スイッチング電源装置の状態を、算定した現用周波数がスイッチング周波数設定値として設定されている状態となるように制御するスイッチング周波数制御手段とを有することを特徴とする受信装置。
【請求項２】
請求項１記載の受信装置であって、
前記スイッチング電源装置は、複数の候補周波数のいずれかをスイッチング周波数設定値として動作可能であり、
前記スイッチング周波数制御手段は、前記複数の候補周波数のいずれかを、前記現用周波数として算定することを特徴とする受信装置。
【請求項３】
請求項１または２記載の受信装置であって、
前記偏差算定手段は、定期的に、前記スイッチング周波数の計測と前記偏差の算定を行い、
前記スイッチング周波数制御手段は、前記偏差算定手段が前記偏差を算定する度に、前記現用周波数の算定と、前記スイッチング電源装置の状態の制御を行うことを特徴する受信装置。
【請求項４】
請求項１、２または３記載の受信装置であって、
当該受信装置が受信する各周波数チャネルの周波数値の各々に対して、スイッチング電源装置のスイッチング周波数が前記スイッチング周波数設定値と一致している状態において、当該周波数の受信チャネルの受信の障害とならないスイッチング周波数値を登録した周波数テーブルを有し、
前記スイッチング周波数制御手段は、前記偏差算定手段が算定した前記偏差に応じた量、前記受信周波数をシフトした周波数の周波数値に対して、前記周波数テーブルに登録されているスイッチング周波数値を、前記現用周波数として算定することを特徴とする受信装置。
【請求項５】
請求項１、２、３または４記載の受信装置であって、
当該受信装置は、ＡＭラジオ放送を受信する受信装置であることを特徴とする受信装置。
【発明の詳細な説明】
【技術分野】
【０００１】
本発明は、受信装置においてスイッチング電源によるノイズの発生を抑制する技術に関するものである。
【背景技術】
【０００２】
受信装置においてスイッチング電源装置によるノイズの発生を抑制する技術としては、予め定めておいた各受信周波数と、当該受信周波数における受信に対して悪影響を与えないスイッチング周波数の設定値との対応関係に基づいて、受信周波数が切り替えられたときに、スイッチング電源のスイッチング周波数の設定値を、当該受信周波数における受信感度に影響を与えない周波数に変更する技術が知られている（たとえば、特許文献１）。
【特許文献１】特開平11-122123号公報
【発明の開示】
【発明が解決しようとする課題】
【０００３】
さて、スイッチング電源のスイッチング周波数は、通常、設定値通りの周波数とはならず、スイッチング電源の個体差や、温度変動によって設定値に対する誤差が生じる。
また、このような誤差が存在するために、各受信周波数に対して、当該受信周波数における受信感度に対して影響を与えないスイッチング周波数の設定値を予め一義的に定めることができない場合がある。そして、このような場合には、前述した特許文献１記載の技術によっては、適正にスイッチング電源装置によるノイズの発生を抑制することができなくなる。
【０００４】
そこで、本発明は、スイッチング電源のスイッチング周波数の設定値からの誤差によらず、受信装置においてスイッチング電源によるノイズの発生を適正に抑制することを課題とする。
【課題を解決するための手段】
【０００５】
前記課題達成のために本発明は、受信周波数として指定された周波数の周波数チャネルを受信する受信装置を、設定されたスイッチング周波数設定値に従ったスイッチング周波数で動作し、当該受信装置に電源を供給するスイッチング電源装置と、前記スイッチング電源装置のスイッチング周波数を計測し、計測したスイッチング周波数の前記スイッチング周波数設定値に対する偏差を算定する偏差算定手段と、前記偏差算定手段が算定した偏差が生じている状態において、スイッチング周波数として前記スイッチング電源装置に設定しても、前記受信周波数の受信チャネルの受信の障害とならない周波数を現用周波数として算定し、前記スイッチング電源装置の状態を、算定した現用周波数がスイッチング周波数設定値として設定されている状態となるように制御するスイッチング周波数制御手段とを含めて構成したものである。
【０００６】
このような受信装置によれば、スイッチング周波数のスイッチング周波数設定値からの実際の偏差に応じてスイッチング周波数設定値とする周波数を、当該偏差が生じている状態においてスイッチング周波数が、受信周波数の受信の妨げとならないように制御することができる。よって、スイッチング電源のスイッチング周波数設定値からの誤差の大きさによらず、受信装置においてスイッチング電源によるノイズの発生を適正に抑制することができる。
【０００７】
なお、以上のような受信装置は、前記スイッチング電源装置を、複数の候補周波数のいずれかをスイッチング周波数設定値として動作可能なものとしてよく、この場合には、前記スイッチング周波数制御手段は、前記複数の候補周波数のいずれかを、前記現用周波数として算定するようにする。
【０００８】
また、以上の受信装置は、前記偏差算定手段において、定期的に、前記スイッチング周波数の計測と前記偏差の算定を行い、前記スイッチング周波数制御手段において、前記偏差算定手段が前記偏差を算定する度に、前記現用周波数の算定と、前記スイッチング電源装置の状態の制御を行うように構成することが好ましい。
【０００９】
このようにすることにより、温度変化等に従って偏差が変動する場合にも支障なく、スイッチング周波数を適当に制御することができる。
また、以上のような受信装置は、さらに、当該受信装置が受信する各周波数チャネルの周波数値の各々に対して、スイッチング電源装置のスイッチング周波数が前記スイッチング周波数設定値と一致している状態において、当該周波数の受信チャネルの受信の障害とならないスイッチング周波数値を登録した周波数テーブルを設け、前記スイッチング周波数制御手段において、前記偏差算定手段が算定した前記偏差に応じた量、前記受信周波数をシフトした周波数の周波数値に対して、前記周波数テーブルに登録されているスイッチング周波数値を、前記現用周波数として算定するように構成してもよい。
【００１０】
なお、以上の受信装置は、たとえば、ＡＭラジオ放送を受信する受信装置であって良い。
【発明の効果】
【００１１】
以上のように、本発明によれば、スイッチング電源のスイッチング周波数の設定値からの誤差によらず、受信装置においてスイッチング電源によるノイズの発生を適正に抑制することができる。
【発明を実施するための最良の形態】
【００１２】
以下、本発明の実施形態を、ＡＭラジオ放送受信機への適用を例にとり説明する。
図１に、本実施形態に係るＡＭラジオ放送受信機の構成を示す。
図示するようにＡＭラジオ放送受信機は、アンテナ１、チューナ２、スピーカ３、制御部４、入力装置５、スイッチング電源装置６とを備えている。
また、制御部４は、チューナ制御部４１、電源制御部４２とを備え、電源制御部４２は、周波数カウンタ４２１と周波数切替制御部４２２と周波数マップ４２３とを有している。
このような構成において、チューナ制御部４１は、入力装置５に対するユーザの選局操作に応じて、受信周波数を選定し、チューナ２に設定すると共に、チューナ２に設定している受信周波数を電源制御部４２に通知する。チューナ２は、設定された受信周波数で放送されているＡＭラジオ放送を受信して音声を復調しスピーカ３から出力する。
【００１３】
次に、スイッチング電源装置６は、入力電源ＤＣ  ＩＮから出力電源ＤＣ  ＯＵＴへのDC/DC変換動作を行い、出力電源ＤＣ  ＯＵＴを、ＡＭラジオ放送受信機の各部に動作電源として供給する。ここで、スイッチング電源装置６は、予め固定的に設定されている複数の周波数であるところの複数の候補周波数のうちの任意の候補周波数をスイッチング周波数として用いて動作することができ、スイッチング周波数とする候補周波数の切替は電源制御部４２から入力する制御信号ＣＮＴに従って行われる。また、スイッチング電源装置６は、現在用いているスイッチング周波数によるスイッチング動作のオン/オフのタイミングの制御に使用しているスイッチング信号ＣＬＫを電源制御部４２に出力する。ここで、このスイッチング信号ＣＬＫの周波数は、スイッチング電源装置６の実際のスイッチング周波数であり、現在用いているスイッチング周波数に、スイッチング電源装置６の個体差や温度変動による誤差を加えた周波数となる。
【００１４】
そして、電源制御部４２は、チューナ制御部４１から通知された受信周波数と、スイッチング電源装置６から出力されるスイッチング信号ＣＬＫに基づいて、前述した複数の候補周波数のうちから、スイッチング周波数として用いる候補周波数を選定し、選定した候補周波数に、制御信号ＣＮＴによってスイッチング電源装置６のスイッチング周波数を切り替える。
【００１５】
以下、このようなスイッチング電源装置６のスイッチング周波数の切替のために電源制御部４２の周波数切替制御部４２２が行う動作について説明する。
ここで、周波数切替制御部４２２は、スイッチング周波数切替処理、受信周波数監視処理、スイッチング周波数設定処理との三つの処理を行う。
ここで、スイッチング周波数切替処理と受信周波数監視処理とは、ＡＭラジオ放送受信機の起動時に併せて起動される処理であり、スイッチング周波数設定処理は、スイッチング周波数切替処理や受信周波数監視処理によって起動される処理である。
以下、スイッチング電源装置６のスイッチング周波数として用いることのできる候補周波数がＦ１、Ｆ２、Ｆ３（但し、Ｆ１＜Ｆ２＜Ｆ３）の３つの周波数であるものとして、各処理の詳細について説明する。
まず、図２ａに、スイッチング周波数計測処理の手順を示す。
図示するように、この処理では、まず、スイッチング電源装置６のスイッチング周波数の設定値ＳＷＦをＦ３に設定する（ステップ２０２）。
そして、周波数カウンタ４２１を用いて、スイッチング信号ＣＬＫの周波数ＦＣＬＫを測定する（ステップ２０４）。ここで、この測定は、たとえば、周波数カウンタ４２１でスイッチング信号ＣＬＫのパルス数を所定の測定期間カウントし、カウントしたパルス数を測定機関で除算してスイッチング信号の周波数ＦＣＬＫを算定することにより行う。ただし、このスイッチング信号の周波数ＦＣＬＫの算定は、周波数カウンタ４２１でスイッチング信号ＣＬＫのパルスを所定数カウントするのに要した所要時間を計測し、前記所定数を計測した所要時間で除算してスイッチング信号の周波数ＦＣＬＫを算定することにより行うようにしても等価である。
【００１６】
次に、スイッチング信号ＣＬＫの周波数を測定したならば、現在のスイッチング電源のスイッチング周波数の設定値ＳＷＦを取得し（ステップ２０６）、スイッチング周波数の設定値ＳＷＦに対するステップ２０４で測定したスイッチング信号ＣＬＫの周波数の偏差を算定する（ステップ２０８）。この偏差は、候補周波数Ｆ１、Ｆ２、Ｆ３のいずれの候補周波数をスイッチング周波数として設定したかに関わらず、スイッチング信号の周波数のスイッチング周波数の設定値ＳＷＦに対する誤差の比率が同様になる場合には、スイッチング周波数の設定値ＳＷＦに対する、スイッチング周波数の設定値ＳＷＦからスイッチング信号ＣＬＫの周波数ＦＣＬＫを減算した値の比率を用いる。また、この偏差は、候補周波数Ｆ１、Ｆ２、Ｆ３のいずれの候補周波数をスイッチング周波数として設定したかに関わらず、スイッチング信号の周波数のスイッチング周波数の設定値ＳＷＦに対する誤差が同様の値（周波数差）となる場合には、スイッチング周波数の設定値ＳＷＦからスイッチング信号ＣＬＫの周波数ＦＣＬＫを減算した値を用いるようにする。
【００１７】
そして、このようにして偏差を算定したならば、今回算定した偏差に、保存してある前回算出した偏差からの変化が発生しているかどうかを調べる（ステップ２１０）。ただし、第１回目の偏差の算出時には、前回算出した偏差が保存されていないので、無条件に変化が発生していると判定するようにする。
【００１８】
そして、偏差に変化が発生していない場合には、ステップ２１６に進んで所定のタイムアウト時間（たとえば、５分）を有するタイマを設定し、タイマのタイムアウトを待って（ステップ２１８）、ステップ２０４からの処理に戻る。
一方、ステップ２１０偏差に変化が発生していると判定された場合には、ステップ２０８で今回算定した偏差を保存し（ステップ２１２）、スイッチング周波数設定処理を起動する（ステップ２１４）。そして、ステップ２１６に進んで所定のタイムアウト時間（たとえば、５分）を有するタイマを設定し、タイマのタイムアウトを待って（ステップ２１８）、ステップ２０４からの処理に戻る。
【００１９】
この結果、このスイッチング周波数計測処理では、タイマのタイムアウト時間（たとえば、５分）毎に、スイッチング周波数の設定値ＳＷＦに対するスイッチング信号ＣＬＫの周波数ＦＣＬＫの偏差が変化したかどうかが調べられ、偏差が変化していればスイッチング周波数設定処理が起動されることになる。
【００２０】
以上、スイッチング周波数計測処理について説明した。
次に、受信周波数監視処理は、チューナ制御部４１からの受信周波数の通知に基づいて、受信周波数の変化を監視し、受信周波数に変化が生じたならば、スイッチング周波数設定処理を起動する処理である。
次に、このようにして受信周波数監視処理や、図２に示したスイッチング周波数計測処理のステップ２１４で起動されるスイッチング周波数設定処理の手順を図２ｂに示す。
図示するように、この処理では、起動されると、まず、現在のスイッチング電源のスイッチング周波数の現在の設定値ＳＷＦと（ステップ２５２）、スイッチング周波数計測処理によって保存されているスイッチング周波数の設定値ＳＷＦに対するスイッチング信号ＣＬＫの周波数ＦＣＬＫの偏差とを（ステップ２５４）取得する。また、チューナ制御部４１から通知されている現在の受信周波数を取得する（ステップ２５６）。
【００２１】
そして、スイッチング周波数の現在の設定値ＳＷＦと偏差とに基づいて、当該偏差が生じている状態において、スイッチング周波数として設定しても、当該設定値に基づいて行われる実際のスイッチング動作のスイッチング周波数が、受信周波数の受信の妨げにならない、候補周波数Ｆｎを候補周波数Ｆ１、Ｆ２、Ｆ３のうちから周波数マップ４２３を参照して選定する（ステップ２５８）。
【００２２】
ここで、図３ａに示すように、周波数マップ４２３はスイッチング周波数の設定値ＳＷＦに対するスイッチング信号ＣＬＫの周波数ＦＣＬＫの偏差の値毎に対応して設けた周波数テーブルの集合である。ただし、この図では、偏差として、スイッチング周波数の設定値ＳＷＦに対する、スイッチング周波数の設定値ＳＷＦからスイッチング信号ＣＬＫの周波数ＦＣＬＫを減算した値の比率を用いた場合の周波数マップ４２３を表している。
【００２３】
そして、各周波数テーブルには、ＡＭラジオ放送受信機の受信帯域内の各周波数毎に、対応する偏差がスイッチング信号ＣＬＫに発生している場合において、スイッチング周波数の設定値としても、当該設定値に基づいて行われる実際のスイッチング動作のスイッチング周波数が、当該受信周波数の受信の妨げとならない候補周波数Ｆｉが登録されている。なお、各周波数テーブルに各受信周波数に対して登録される候補周波数Ｆｉは、対応する偏差を当該候補周波数Ｆｉに加えた周波数及びその高調波の周波数と、当該受信周波数との差の絶対値が、所定量（たとえば、２０ｋＨｚ）確保される候補周波数Ｆｉとなる。
【００２４】
そして、ステップ２５８では、このような周波数マップ４２３を参照して、取得した偏差に対応する周波数テーブルに、受信周波数に対して登録されている候補周波数Ｆｎが選定されることになる。
さて、図２ｂに戻り、候補周波数Ｆｎを選定したならば、選定した候補周波数Ｆｎが、現在のスイッチング周波数の設定値ＳＷＦと同じであるかどうかを調べ（ステップ２６０）、同じであれば、そのまま処理を終了し、同じでなければ、スイッチング電源装置６のスイッチング周波数の設定値ＳＷＦを、選定した候補周波数Ｆｎに設定した上で（ステップ２６２）、処理を終了する。
【００２５】
以上、スイッチング周波数設定処理について説明した。
このような周波数切替制御部４２２の動作によれば、スイッチング信号の周波数のスイッチング周波数の設定値からの偏差に応じてスイッチング周波数の設定値とする候補周波数を、当該偏差が生じている状態において当該設定値に基づいて行われるスイッチング動作のスイッチング周波数が、受信周波数の受信の妨げとならないように制御することができる。
【００２６】
ところで、スイッチング周波数設定処理のステップ２５８におけるスイッチング周波数として設定しても受信周波数の受信の妨げにならない候補周波数Ｆｎの算定は、次のように行うようにしてもよい。
すなわち、いま、候補周波数がＦ１=１５０ｋＨｚ、Ｆ２=２５０ｋＨｚ、Ｆ３=３５０ｋＨｚであるものとする。そして、スイッチング電源装置６において、候補周波数Ｆ１、Ｆ２、Ｆ３のいずれの候補周波数をスイッチング周波数として設定したかに関わらず、スイッチング信号の周波数のスイッチング周波数の設定値ＳＷＦに対する誤差が同様の値（周波数差）となるものとする。
【００２７】
この場合、スイッチング周波数計測処理のステップ２０８では、偏差として、スイッチング周波数の設定値ＳＷＦからスイッチング信号ＣＬＫの周波数ＦＣＬＫを減算した値を求める。
次に、周波数マップ４２３としては、図３ｂに示す周波数マップ４２３を予め用意する。
この周波数マップ４２３は、ＡＭラジオ放送受信機の受信帯域内の各周波数毎に、候補周波数Ｆｉが登録されている。
ただし、この周波数マップ４２３は、Ｆ３=３５０ｋＨｚの２次高調波７００ｋＨｚの前後１５ｋＨｚ内の周波数と、Ｆ３=３５０ｋＨｚの３次高調波１０５０Ｈｚの前後１５ｋＨｚ内の周波数と、Ｆ３=３５０ｋＨｚの４次高調波１４００ｋＨｚの前後１５ｋＨｚ内の周波数に対しては候補周波数Ｆ２=２５０ｋＨｚを登録し、それ以外の周波数に対しては候補周波数Ｆ３=３５０ｋＨｚを登録したものとなっている。
【００２８】
そして、スイッチング周波数設定処理のステップ２５８では、現在の受信周波数が５３１-８５０ｋＨｚ以下であれば偏差の２倍をシフト周波数として算定し、現在の受信周波数が８６０-１２００であれば偏差の３倍をシフト周波数として算定し、現在の受信周波数が１２００-１６０２ｋＨｚであれば偏差の４倍をシフト周波数として算定する。そして、現在の受信周波数に算定したシフト周波数を加算した周波数に対して周波数マップ４２３に登録されている候補周波数を、スイッチング周波数として設定しても受信周波数の受信の妨げにならない、候補周波数Ｆｎとして算定する。
【００２９】
ここで、偏差の絶対値の最大値が高々２０ｋＨｚとすると、受信周波数が５３１-８５０ｋＨｚの範囲で、受信感度の妨げとなる候補周波数Ｆ３の高調波は２次高調波のみであり、受信周波数が８６０-１２００ｋＨｚの範囲で、受信感度の妨げとなる候補周波数Ｆ３の高調波は３次高調波のみであり、受信周波数が１２００ｋＨｚ-１６０２ｋＨｚの範囲で、受信感度の妨げとなる候補周波数Ｆ３の高調波は４次高調波のみであるので、このようにスイッチング周波数を設定することにより、候補周波数Ｆ３をスイッチング周波数として設定しても受信周波数の受信の妨げとならない場合には、スイッチング周波数として候補周波数Ｆ３が設定され、候補周波数Ｆ３をスイッチング周波数として設定すると受信周波数の受信の妨げとなる場合には、スイッチング周波数として候補周波数Ｆ２が設定されることになる。
【００３０】
また、偏差の絶対値の最大値が高々２０ｋＨｚとして、受信周波数が５３１-８５０ｋＨｚの範囲内において、上記手順によってスイッチング周波数として候補周波数Ｆ２が設定されたときに、受信周波数とスイッチング信号の高調波が最も接近するのは、偏差が-２０ｋＨｚのときの、受信周波数６７５ｋＨｚに対してスイッチング信号周波数の３次高調波６９０ｋＨｚとなる。また、偏差の絶対値の最大値が高々２０ｋＨｚとして、受信周波数が８６０-１２００ｋＨｚの範囲内において、上記手順によってスイッチング周波数として候補周波数Ｆ２が設定されたときに、受信周波数とスイッチング信号の高調波が最も接近するのは、偏差が２０ｋＨｚのときの、受信周波数１０９５ｋＨｚに対してスイッチング信号周波数の４次高調波１０８０ｋＨｚとなる。また、偏差の絶対値の最大値が高々２０ｋＨｚとして、受信周波数が１２１０-１６０２ｋＨｚの範囲内において、上記手順によってスイッチング周波数として候補周波数Ｆ２が設定されたときに、受信周波数とスイッチング信号の高調波が最も接近するのは、偏差が-２０ｋＨｚのときの、受信周波数１３３５ｋＨｚに対してスイッチング信号周波数の６次高調波１３８０ｋＨｚとなる。
【００３１】
よって、このようにしても、スイッチング信号の周波数のスイッチング周波数の設定値からの誤差の発生の如何に関わらずに、受信周波数とスイッチング信号の高調波との間に必ず１５ｋＨｚ以上の差が確保されるように、スイッチング周波数を制御することができる。なお、ＡＭラジオ放送の帯域幅は受信周波数を中心として前後に７.５ｋＨｚ(音声帯域が0.3-７ｋＨ）となるので、受信周波数とスイッチング信号の高調波との間に必ず１５ｋＨｚ以上の差を確保できれば、ビートノイズの発生を抑制して受信周波数の受信を支障なく行うことができる。
【００３２】
なお、候補周波数の組み合わせや、生じ得る偏差の大きさや、スイッチング周波数とスイッチング信号の周波数の高調波の間に所要の余裕の大きさによっては、図３ｂに示したような周波数マップ４２３を用いた手法では、生じ得る偏差の大きさの全てについて、スイッチング周波数とスイッチング信号の周波数の高調波の間に所望の余裕を確保できない受信周波数が生じる場合がある。
【００３３】
一方で、各候補周波数の同じ次数Ｘの高調波だけを問題とする場合には、偏差が０の状態で、受信周波数となり得る全ての周波数について所要の余裕を確保できるように、周波数マップ４２３を作成することができれば、偏差のＸ倍をシフト周波数として上述のように処理を行うことにより、生じ得る偏差の大きさの全てについて、必ず受信周波数とスイッチング信号の周波数のＸ次の高調波の間に所要の余裕を確保することができる。
【００３４】
すなわち、たとえば、候補周波数が１０００ｋＨｚと、候補周波数１２００ｋＨｚの二つであり、偏差の絶対値の最大値が５０ｋＨｚであり、余裕として５０ｋＨｚを確保したい場合において、できるだけ、候補周波数１２００ｋＨｚをスイッチング周波数の設定値として使用したい場合を考える。この場合には、各候補周波数の基本周波数のみが問題となる。
【００３５】
そこで、この場合には、周波数マップ４２３には、１１５０-１１５０ｋＨｚに対して、候補周波数１０００ｋＨｚを登録し、他の周波数範囲については候補周波数１２００ｋＨｚを登録するようにする。そして、算定した偏差を１倍した値をシフト周波数として受信周波数に加算した周波数に対して周波数マップ４２３に登録されている候補周波数をスイッチング周波数の設定値として選定するようにすれば、できるだけ、候補周波数１２００ｋＨｚをスイッチング周波数の設定値として使用しつつ、スイッチング周波数とスイッチング信号の周波数の高調波の間に常に５０ｋＨｚの余裕を確保することができる。
【図面の簡単な説明】
【００３６】
【図１】本発明の実施形態に係るＡＭラジオ放送受信機の構成を示すブロック図である。
【図２】本発明の実施形態に係るスイッチング周波数計測処理とスイッチング周波数設定処理を示すフローチャートである。
【図３】本発明の実施形態に係るＡＭラジオ放送受信機が備える周波数マップを示す図である。
【符号の説明】
【００３７】
１…アンテナ、２…チューナ、３…スピーカ、４…制御部、５…入力装置、６…スイッチング電源装置、４１…チューナ制御部、４２…電源制御部、４２１…周波数カウンタ、４２２…周波数切替制御部、４２３…周波数マップ。
【図１】
2008154146.tif 000003
【図２】
2008154146.tif 000004
【図３】
2008154146.tif 000005